(57)【要約】流体石鹸容器（１９，２０，４０，５１）は、加圧空気洗浄剤キャニスター（１１，３５，４６，５３）又は液体空気洗浄剤容器（２１）に組み込まれた吐出ポンプ（１３，２３，３３，４９）を有する。吐出ポンプが押されるとポンプは加圧空気洗浄剤キャニスター又は液体空気洗浄剤容器のバルブを作動させ、空気をリフレッシュさせる。他方、同時に、液体またはゲル石鹸が吐出される。吐出ポンプが作動して流体石鹸が吐出しても、空気洗浄剤のバルブの作動は選択的防止される方法も示される。【選択図】図１
2004512172.tif 000002
【特許請求の範囲】
【請求項１】
流体石鹸の容器と、前記容器から前記流体石鹸を吐出させる操作ポンプと、空気清浄剤の容器と、前記空気清浄剤容器から前記空気清浄剤を放出させるために操作されるバルブとからなる装置において、前記流体石鹸を吐出させるための前記ポンプの操作により前記バルブが作動して前記空気清浄剤を放出させる流体石鹸および空気清浄剤ディスペンサー。
【請求項２】
請求項１において、前記空気清浄剤容器から放出された前記空気清浄剤が放たれる排気孔ケースを有する流体石鹸および空気清浄剤ディスペンサー。
【請求項３】
請求項２において、前記空気清浄剤容器は前記排気孔ケース内に収納させた流体石鹸および空気清浄剤ディスペンサー。
【請求項４】
請求項２又は請求項３において、前記空気清浄剤容器は前記排気孔ケース及び／又は前記流体石鹸容器に対してスライド自在に設けた流体石鹸および空気清浄剤ディスペンサー。
【請求項５】
請求項４において、前記流体石鹸容器は前記空気清浄剤容器のスライド移動を拘束するノッチを有する流体石鹸および空気清浄剤ディスペンサー。
【請求項６】
請求項２乃至請求項５のいずれか１つにおいて、前記排気孔ケースは前記空気清浄剤が直接的に大気中にスプレーされることを防止する流体石鹸および空気清浄剤ディスペンサー。
【請求項７】
請求項１乃至請求項６のいずれか１つにおいて、前記空気清浄剤の余剰分を吸収する部材を有する流体石鹸および空気清浄剤ディスペンサー。
【請求項８】
請求項７において、前記吸収部材は前記流体石鹸容器と前記排気孔ケースとの間の空間に置かれる流体石鹸および空気清浄剤ディスペンサー。
【請求項９】
請求項１乃至請求項８のいずれか１つにおいて、前記空気清浄剤容器は加圧気体キャニスターとした流体石鹸および空気清浄剤ディスペンサー。
【請求項１０】
請求項１乃至請求項９のいずれか１つにおいて、前記空気清浄剤容器は液体空気清浄容器とした流体石鹸および空気清浄剤ディスペンサー。
【請求項１１】
請求項１乃至請求項１０のいずれか１つにおいて、前記流体石鹸容器は液体石鹸又はゲル状石鹸の容器とした流体石鹸および空気清浄剤ディスペンサー。
【請求項１２】
請求項１乃至請求項１１のいずれか１つにおいて、前記ポンプが操作されると前記空気洗浄剤容器の前記バルブを作動させる放出リングを有する流体石鹸および空気清浄剤ディスペンサー。
【請求項１３】
請求項１乃至請求項１２のいずれか１つにおいて、前記空気清浄剤容器の前記バルブを閉じるバネを有する流体石鹸および空気清浄剤ディスペンサー。
【請求項１４】
請求項１乃至請求項１３のいずれか１つにおいて、前記流体石鹸容器と前記空気洗浄剤容器の大きさと、前記ポンプが操作されたときに吐出される石鹸と空気清浄剤の量とは、前記流体石鹸容器が空になると前記空気洗浄剤容器も空になるように選択できる流体石鹸および空気清浄剤ディスペンサー。
【請求項１５】
請求項１乃至請求項１４のいずれか１つにおいて、前記ポンプは前記空気清浄剤容器の前記バルブを操作できるレバーを有する流体石鹸および空気清浄剤ディスペンサー。
【請求項１６】
請求項１乃至請求項６のいずれか１つにおいて、前記空気清浄剤容器は前記流体石鹸容器内に収納させるか前記流体石鹸容器に隣接させた流体石鹸および空気清浄剤ディスペンサー。
【請求項１７】
請求項１乃至請求項１６のいずれか１つにおいて、前記ポンプが操作されたときに、前記空気洗浄剤を放出する前記バルブの操作を選択的に防止できる手段を有する流体石鹸および空気清浄剤ディスペンサー。
【請求項１８】
請求項１乃至請求項１７のいずれか１つにおいて、気体及び／又は液体空気洗浄剤と組合わさって作用する固体又はゲル状空気洗浄剤を有する流体石鹸および空気清浄剤ディスペンサー。
【発明の詳細な説明】
【０００１】
【産業上の利用分野】
本発明は流体石鹸および空気清浄剤ディスペンサーに関する。
【０００２】
【従来技術】
流体石鹸ディスペンサー自体および空気清浄剤ディスペンサー自体はよく知られている。流体石鹸は、ＨＤＰＥ（高密度ポリエチレン）、ＰＶＣ（ポリ塩化ビニル）、ＰＥＴ（ポリエチレンテレフタレート）、あるいはその他のプラスチック材料で通常出来ている容器の中に入っている石鹸から成る。前記容器の首部には計量分配用吐出ポンプがねじ込まれ、吐出ポンプが押されると容器内の石鹸が吐出される。
【０００３】
空気清浄剤は多種の形態形状で出回っているが、機能的には全て同一であって、不快な臭いを中和したり、かぐわしい臭いに置き換えたりして、例えば、トイレ、バスルーム、台所、その他の限定された空間の臭いをより快適なものにしている。空気清浄剤は、固体ゲル状、液体状あるいはキャニスター（金属容器）入りの加圧気体状の形態となっている。
【０００４】
【発明が解決しようとする課題】
手の洗浄と部屋の消臭を併せて行うのに別々のシステム（製品）を用いると、消費者が両方を別々に購入しなければならないため、かなり高価になる。さらに、キャニスター入り又は液状の空気清浄剤を使用するには、使用する個人が物理的にその容器を手に持って部屋でスプレーしなければならなかった。液体空気清浄剤では、利用者は吸収材あるいはポプリ上に液体になっている香料を注がなければならなかった。
【０００５】
こうした手洗い及び消臭の両行為は、人間の習性により、特にバスルーム、トイレ、台所、商業あるいは公共施設の環境下では忘られがちであるが、トイレの後や台所での料理の後では、人々はほぼ間違いなく手洗いを行っており、この習慣が本発明を作り出すのに利用されている。
【０００６】
本発明の目的は、手洗いというわれわれ人間の習性を利用して計量分配用吐出ポンプを使用した空気清浄剤の放出を行うことで、両方（流体石鹸ディスペンサーおよび空気清浄剤ディスペンサー）の特徴を１つに組み合わせる製品を提供することである。本製品では、液体石鹸を自動的に吐出させるだけではなく、空気清浄剤の放出も行うので、価格面で有利であり、空気清浄剤の効果的な使用という点でも利得をもたらす。本発明は現時点では個別に購入しなければならない２つの製品の谷間を埋めるものである。本発明はトイレでの使用に適していて、抗菌石鹸での手洗いとトイレの消臭とが簡単なワンステップで成し遂げられる。
【０００７】
液体石鹸の吐出量は、空気清浄剤の吐出量に対応させて、液体石鹸が空になると空気清浄剤も空になるようになっている。
【０００８】
詳細な説明、発明の名称および要約書の中では、流体石鹸に対して言及がなされているが、本発明の範囲には、ゲル状あるいは半液体／ゲル状の石鹸を作るために石鹸の配合の中に組み込まれる増粘剤および／またはゲル化剤により液状となっている石鹸も含まれている。本発明の範囲はこのように、液体あるいはゲル形態になっている石鹸に限定されているわけではない。石鹸のいずれの流体の形態のものも使用しうるものである。
【０００９】
さらに、本明細書の中では気体および液体の空気清浄剤に対して言及がなされているが、この着想における有用な特徴は、本明細書に記載されている装置に固体あるいはゲル状の空気清浄剤を組み込めることである。これによると、気体あるいは液体の空気清浄剤が石鹸の吐出により放出され、他方では固体／ゲル状の空気清浄剤は連続して芳香するので、１つの完全な製品となることを可能なものとしている。
【００１０】
本発明の範囲内におけるさらにもう１つの特徴は、石鹸を吐出させるときに、空気清浄剤の放出を解除する方法である。この特徴では、石鹸計量分配用吐出ポンプの作動により、空気清浄剤の放出を作動させるかどうかという選択をユーザーに委ねることができる点ですぐれている。これにより、そのユーザーが必要ないと感じるときには空気清浄剤の放出がユーザーによって回避される。この特徴により、本発明の範囲内にある本装置をさらに市場性のあるものにすることができる。
【００１１】
本製品の使用は、家庭内だけに限定されるものではなく、例えば、オフィスビル、公衆トイレ、ホテル、その他の商業および公共施設において効果的に使用されるものである。例えば、航空機、列車、船舶、その他全ての輸送手段における有用な使用法もまた考えられる。
【００１２】
【実施例】
ここで本発明の好ましい実施形態を、家庭用タイプの計量分配用吐出ポンプを用いた例により説明するが、本発明は商業の営業上で使用されるタイプの計量分配用吐出ポンプにも適用されるものである。
【００１３】
［気体キャニスターシステム］
図を参照すると、図１において、液体石鹸容器１０は空気清浄剤キャニスター１１を収容するために特に設計されており、空気清浄剤キャニスター１１は排気孔ケース１２側に沿って置かれている。計量分配用吐出ポンプ１３は、気体空気清浄剤キャニスター１１のバルブを作動させるレバー１４を有する。
【００１４】
図２において、前記気体空気清浄剤キャニスター１１は、垂直ノッチ１５により前記液体石鹸容器１０内に横方向において保持される。
【００１５】
図３のように、前記レバー１４が押し下げられると、気体キャニスター１１のバルブが作動して、排気孔ケース１２内のピンホール１６からスプレーされる。排気孔ケース１２の排気孔は、壁の上や大気中に直接スプレーされる位置には設けられていない。前記スプレーピンホール１６の位置の下方には、空気清浄剤の噴霧体１８を大気中に拡散させる排気孔１７が設けられる。
【００１６】
前記気体キャニスター１１の底には、排気孔１７を介して拡散できなかった噴霧体を吸収する吸収材１９が設けられる。
【００１７】
図４において、計量分配用吐出ポンプ１３の押し下げが終わると、前記計量分配用吐出ポンプ内のバネが吐出ポンプを押し上げ、もって、前記気体キャニスターのバルブを止める。これにより、２回目の吐出ポンプの押し下げの待機状態となる。
【００１８】
［液体空気清浄剤システム］
図５において、液体石鹸容器２０は液体空気清浄剤容器２１を収容するために特に設計されており、液体空気清浄剤容器２１は液体石鹸容器２０と排気孔ケース２２との間にきちんと置かれている。計量分配用吐出ポンプ２３は、液体空気清浄剤容器２１のバルブを作動させるレバー２４を有する。
【００１９】
図６、７および８において、液体空気清浄剤容器は、液体石鹸容器２０のノッチ２５と、排気孔ケース２２上の対応するノッチ２６まで垂直方向に上下にスライドする。計量分配用吐出ポンプ２３が押し下げられると、適応するレバー２４が垂直方向で下方に押し下げられ、もって、液体空気清浄剤バルブを作動させ、吸収材２７上に直接スプレーする。前記吸収材上の液体空気清浄剤のしずくは排気孔２８を通って蒸発する。
【００２０】
図８において、液体空気清浄剤容器は、バネ３０を介して放出リング２９を加圧するノッチ２５、２６により吐出される。バネ３０は空気清浄剤のバルブを作動させ、吸収材上にスプレーする。バネ３０は液体空気清浄剤容器２１の首部に位置し、ノッチ２５、２６と液体空気清浄剤容器の肩部との間に置かれている。放出リング２９は、放出リングがノッチ２５、２６上に押し下げられると、前記液体空気清浄剤の前記バルブを作動させる機能を奏する。
【００２１】
バネ３０の機能は、前記液体空気清浄剤容器を通常の初期位置まで戻すことであり、もって、バルブを停止させて更なる液体空気清浄剤の放出をさせないことである。このメカニズムは、前記計量分配用吐出ポンプの上下の動きにつれて、それと同時に作動するものである。
【００２２】
［その他の実施形態］
図９の方法では、石鹸３１はその容器３２の中に充填されている。石鹸はその計量分配用吐出ハンドル３４を手動にて押すことにより、計量分配用吐出ポンプ３３により供給放出される。ハンドル作動は、円板３６で空気清浄剤容器３５を加圧し、続いて、空気清浄剤バルブ３７を作動させて空気清浄剤３９を放出させる。吐出された空気清浄剤は排気孔３２を通して放出される。放出されなかった過剰な空気清浄剤は吸収材４１により吸収される。
【００２３】
図１０は、異なる形状の容器４２が適用された着想を示す。ここではこの図は作動中の本発明を示す。石鹸４３はポンプを押し下げることにより吐出され、ポンプはバルブ４５から空気清浄剤４４を放出する。空気清浄剤容器４６は、排気孔ケース４７内に置かれる。あらゆる過剰噴霧体は吸収材４８により吸収される。
【００２４】
図１１は、空気清浄剤を放出するのにレバーを必ずしも使用することのない発明を示す。ここでは、ポンプ４９を押し下げるという作用により、容器５１の中に貯留された石鹸５０が吐出される。ポンプを押し下げることにより、空気清浄剤容器５２のバルブに圧力が加わり、それによって、排気孔ケース５３内に空気清浄剤が放出される。
【００２５】
図１２は、石鹸の供給が行われるときの空気清浄剤の供給を切断できる１つの方法を示す。ここでは、付加的なストッパー５４が前記レバー内に設置される。円板５５が前記レバーに面するように整列しているときは、空気清浄剤の連動は解除され、石鹸ポンプの押し下げによっては前記レバーの更なる下方への移動はできなくなり、空気清浄剤のバルブに対して直接あるいは間接的な加圧できない。石鹸は空気清浄剤無しで吐出される。
【００２６】
図１３は、前記円板が回転して前記レバーから離れたときを示しており、これにより、ここでは、前記レバーが完全に移動することが可能となって空気清浄剤のバルブに対して直接あるいは間接的に加圧でき、もって、空気清浄剤が吐出される。
【００２７】
図１４には、気体空気清浄剤キャニスターと固体あるいはゲル状空気清浄剤５６を組み合わせたものが示され、空気清浄剤の２つのシステムは互いに補完し合う。固体／ゲル状空気清浄剤は連続した芳香作用を有するものであり、一方、気体あるいは液体空気清浄剤については、石鹸計量分配用吐出ポンプが作動するときに空気清浄剤を噴出させることとなる。
【図面の簡単な説明】
【図１】図１は、吐出ポンプを備えた液体石鹸容器と、前記液体石鹸容器の側壁に沿って配置した空気洗浄剤の加圧キャニスターと、排気孔ケースの側面図を示す。
【図２】図２は、前記液体石鹸容器の平面図で、前記加圧キャニスターが前記液体石鹸容器と前記排気孔ケースの中にどのように組み込まれているかを示している。
【図３】図３は、図１と同じ図で、前記吐出ポンプが押し下げられて液体石鹸がポンプから放出された状態を示し、同時に、前記吐出ポンプが前記加圧キャニスターのバルブを作動させて前記排気孔ケース内に前記空気洗浄剤を放出させた状態を示している。
【図４】図４は、図１と同じ図で、計量分配用吐出ポンプがもはや押し下げられなくなると、前記空気清浄剤キャニスターもまたもはや作動せず、両方のシステムは同時に作動する状態を示す。
【図５】図５は、液体空気清浄剤システムが適応されているということを除いては、図１と同様の実施形態を示すしている。
【図６】図６は、図５と同じような図であるが、放出され液体空気洗浄剤が空気洗浄剤の蒸発を助ける吸収部材に吸収される状態を示している。
【図７】図７は、図５と同じ図を示しているが、前記ポンプは解放されている。
【図８】図８は、前記液体空気清浄剤システムを作動させることに関与しているメカニズムの拡大図を示す。
【図９】図９は、本発明の別の実施形態を示しており、市場に提供されている石鹸と空気清浄剤システムが説明されている。
【図１０】図１０は、本発明の別の実施形態を示しており、より美的な形状の容器が示されている。
【図１１】図１１は、本発明の別の実施形態を示しており、空気清浄剤を吐出するレバーを必要としない発明が示されている。
【図１２】図１２は、本発明の別の実施形態を示しており、前記ポンプが作動したときに空気清浄剤を放出するための前記バルブの作動を選択的に防ぐための方法が示されている。
【図１３】図１３は、図１２と同じ図を示しており、前記ポンプが作動したときに空気清浄剤を放出するためにバルブが作動するようにした選択を示している。
【図１４】図１４は、本発明のもう１つの実施形態を示しており、固体空気清浄剤が、気体あるいは液体空気清浄剤とともに作用するように組み込まれている。
【図１】
2004512172.tif 000003
【図２】
2004512172.tif 000004
【図３】
2004512172.tif 000005
【図４】
2004512172.tif 000006
【図５】
2004512172.tif 000007
【図６】
2004512172.tif 000008
【図７】
2004512172.tif 000009
【図８】
2004512172.tif 000010
【図９】
2004512172.tif 000011
【図１０】
2004512172.tif 000012
【図１１】
2004512172.tif 000013
【図１２】
2004512172.tif 000014
【図１３】
2004512172.tif 000015
【図１４】
2004512172.tif 000016
【国際公開パンフレット】
2004512172.tif 000017
2004512172.tif 000018
2004512172.tif 000019
2004512172.tif 000020
2004512172.tif 000021
2004512172.tif 000022
2004512172.tif 000023
2004512172.tif 000024
2004512172.tif 000025
2004512172.tif 000026
2004512172.tif 000027
2004512172.tif 000028
2004512172.tif 000029
2004512172.tif 000030
2004512172.tif 000031
2004512172.tif 000032
2004512172.tif 000033
2004512172.tif 000034
【国際調査報告】
2004512172.tif 000035
2004512172.tif 000036